(57)【要約】  本発明は少なくとも１つのＬＥＤを作動するための回路装置に関し、配電電圧の接続のための第１及び第２の配電端子と、第１の整流器と、電子ポンプスイッチと、メインエネルギー蓄積器と、インバータと、ポンプネットワークと、マッチングネットワークを含み、前記第１の整流器の整流器入力側は配電端子に結合され、前記電子ポンプスイッチは整流器出力側に結合され、前記メインエネルギー蓄積器は電子ポンプスイッチの整流器出力側とは反対側に結合され、前記インバータはメインエネルギー蓄積器からのエネルギーを供給すべくメインエネルギー蓄積器に結合され、前記ポンプネットワークを介して前記インバータの出力側がポンプノードに結合されており、前記マッチングネットワークを介して前記インバータ出力側が少なくとも１つのＬＥＤのための前記配電端子と結合され、前記マッチングネットワークは固有振動数を有する共振回路を有している。
2009518835.tif 000002
【特許請求の範囲】
【請求項１】
少なくとも１つのＬＥＤを作動するための回路装置において、
−配電網電圧の接続のための第１及び第２の配電網端子（Ｊ）と、
−第１の整流器（ＦＲ）と、
−電子ポンプスイッチ（ＵＮＩ）と、
−メインエネルギー蓄積器（ＳＴＯ）と、
−インバータ（ＩＮＶ）と、
−ポンプネットワーク（ＰＮ）と、
−マッチングネットワーク（ＭＮ）を含んでおり、
前記第１の整流器（ＦＲ）の整流器入力側は配電網端子（Ｊ）に結合され、前記第１の整流器（ＦＲ）の出力側からは整流された配電電圧が供給可能であり、
前記電子ポンプスイッチ（ＵＮＩ）は整流器出力側に結合されており、これによってポンプノード（Ｎ１）が定められており、
前記メインエネルギー蓄積器（ＳＴＯ）は電子ポンプスイッチ（ＵＮＩ）の整流器出力側とは反対側に結合されており、
前記インバータ（ＩＮＶ）はメインエネルギー蓄積器（ＳＴＯ）からのエネルギーを供給すべく当該メインエネルギー蓄積器（ＳＴＯ）に結合されており、この場合前記インバーター（ＩＮＶ）はそのインバータ出力側からインバータ周波数を有するインバータ電圧を供給するように設計されており、
前記ポンプネットワーク（ＰＮ）を介して前記インバータの出力側がポンプノード（Ｎ１）に結合されており、
前記マッチングネットワーク（ＭＮ）を介して前記インバータ出力側が少なくとも１つのＬＥＤのための前記配電網端子（Ｊ）と結合され、さらに、前記マッチングネットワーク（ＭＮ）は固有振動数を有する共振回路を有していることを特徴とする回路装置。
【請求項２】
前記回路装置がさらに第２の整流器（ＧＲ）、特にフルブリッジ型整流器（Ｄ７，Ｄ８，Ｄ９，Ｄ１０）を含み、前記第２の整流器はマッチングネットワーク（Ｌ３，Ｌ９）と、少なくとも１つのＬＥＤのための配電網端子（Ｊ３，Ｊ４）の間に結合されている、請求項１記載の回路装置。
【請求項３】
前記回路装置がさらに少なくとも１つの結合コンデンサ（Ｃ１５；Ｃ１６）を有し、前記マッチングネットワーク（ＭＮ）はＬＣ直列共振器（Ｌ３，Ｃ９）を含み、前記第２の整流器（Ｄ７，Ｄ８，Ｄ９，Ｄ１０）の整流器入力側がＬＣ直列共振回路の高位点と結合され、別の側は少なくとも１つの結合コンデンサ（Ｃ１５；Ｃ１６）に結合されている、請求項２記載の回路装置。
【請求項４】
前記マッチングネットワーク（ＭＮ）と少なくとも１つのＬＥＤのための配電網端子の間に変成器が結合されている、請求項１記載の回路装置。
【請求項５】
前記変成器の一次側がマッチングネットワークと結合され、前記変成器の二次側が少なくとも１つのＬＥＤのための配電網端子と結合され、前記変成器の二次側と、少なくとも１つのＬＥＤのための配電網端子との間に、第２の整流器、特にフルブリッジ型整流器（が結合されている、請求項４記載の回路装置。
【請求項６】
前記第２の整流器（Ｄ７，Ｄ８，Ｄ９，Ｄ１０）の整流器出力側と、少なくとも１つのＬＥＤのための配電網端子（Ｊ３，Ｊ４）との間に、インダクタンス（Ｌ２）が設けられている、請求項２、３、または５記載の回路装置。
【請求項７】
前記回路装置はさらにコントローラ（ＣＯＮＴ）を含んでおり、該コントローラの制御出力側からは設定信号が提供可能であり、この場合制御出力側はインバータ（ＩＮＶ）と次のように結合される、すなわち操作量信号がインバータ周波数に作用するように結合される、請求項１から６いずれか１項記載の回路装置。
【請求項８】
前記制御入力側が、少なくとも１つのＬＥＤを流れる電流に比例する特性量の測定のための装置（Ｂ１）に結合されている、請求項７記載の回路装置。
【請求項９】
前記回路装置は、当該回路装置の出力端子（Ｊ３，Ｊ４）の間に直列に接続された複数のＬＥＤを駆動できるように設計されている、請求項１から８いずれか１項記載の回路装置。
【請求項１０】
−配電網電圧の接続のための第１及び第２の配電網端子（Ｊ）と、
−第１の整流器（ＦＲ）と、
−電子ポンプスイッチ（ＵＮＩ）と、
−メインエネルギー蓄積器（ＳＴＯ）と、
−インバータ（ＩＮＶ）と、
−ポンプネットワーク（ＰＮ）と、
−マッチングネットワーク（ＭＮ）を備えた回路装置にける少なくとも１つのＬＥＤを作動するための作動方法において、
前記第１の整流器（ＦＲ）の整流器入力側は配電網端子（Ｊ）に結合され、前記第１の整流器（ＦＲ）の出力側からは整流された配電電圧が供給され、
前記電子ポンプスイッチ（ＵＮＩ）は整流器出力側に結合されており、これによってポンプノード（Ｎ１）が定められており、
前記メインエネルギー蓄積器（ＳＴＯ）は電子ポンプスイッチ（ＵＮＩ）の整流器出力側とは反対側に結合されており、
前記インバータ（ＩＮＶ）はメインエネルギー蓄積器（ＳＴＯ）からのエネルギーを供給すべく当該メインエネルギー蓄積器（ＳＴＯ）に結合されており、この場合前記インバーター（ＩＮＶ）はそのインバータ出力側からインバータ周波数を有するインバータ電圧を供給し、
前記ポンプネットワーク（ＰＮ）を介して前記インバータの出力側がポンプノード（Ｎ１）に結合されており、
前記マッチングネットワーク（ＭＮ）を介して前記インバータ出力側が少なくとも１つのＬＥＤのための前記配電網端子（Ｊ）と結合され、さらに、前記マッチングネットワーク（ＭＮ）は固有振動数を有する共振回路を有していることを特徴とする方法。
【発明の詳細な説明】
【技術分野】
【０００１】
本発明は少なくとも１つのＬＥＤ（Light Emitting Diode）を作動するための回路装置及びその作動方法に関する。
【背景技術】
【０００２】
ＬＥＤはその長所が故に一般照明装置の中に益々浸透しつつある。この関係においては低コストな作動回路が望まれている。これまではいわゆるＳＥＬＶ（Safety Extra Low Voltage）方式の電力供給が用いられてきた。この方式では配電網から電位分離された低い保護電圧がＬＥＤの給電に使用される。しかしながらこの種の従来技術のケースでは、力率補正や電位分離、出力電圧ないし出力電流のコントロール、過負荷や短絡に対する保護手段などの機能を保証するために回路技術的コストが多大にかかってしまう。
【０００３】
本発明の課題は、前述したような複数の機能の実施が可及的に僅かな回路技術的コストで実現できる、少なくとも１つのＬＥＤを作動するための回路装置と方法を提供することである。
【０００４】
前記課題は請求項１の特徴部分に記載された本発明による回路装置並びに請求項１０の特徴部分に記載された本発明による作動方法によって解決される。
【０００５】
本発明は次のような知識を基礎としている。すなわち共振回路を備えたマッチングネットワークを介して少なくとも１つのＬＥＤを駆動するインバータを含んだ回路装置を用いることによって前記課題が解決できることである。この場合前記インバータはポンプ回路を介して力率と配電網電流の高調波に関する補正を行う。
【０００６】
メインエネルギー蓄積器が第１の整流器から直接充電されるならば、これは国際電気標準会議の関連する規定、例えばＩＥＣ１０００−３−２規定に違反するような充電電流スパイクを生じさせかねない。
【０００７】
チャージポンプのトポロジーには整流器が電子ポンプスイッチを介してメインエネルギー蓄積器に結合されることが含まれる。それにより整流器と電子ポンプスイッチの間にポンプノードが生じる。このポンプノードはポンプネットワークを介してインバータ出力側と結合される。このポンプネットワークは、同時にマッチングネットワークにも所属し得る構成部分を含み得る。チャージポンプの原理は、インバータ周波数の１／２周期の間にポンプノードを介して配電網電圧のエネルギーが取り出され、ポンプネットワークに一時的に蓄積されることである。それに続くインバータ周波数の残りの半周器において、この一時蓄積されたエネルギーが電子ポンプスイッチを介してメインエネルギー蓄積器に供給される。
【０００８】
配電電圧はそれに従ってエネルギーをインバータ周波数のクロックで受け取る。フィルタ回路によればインバータ周波数のところか若しくはそれより上にある配電電流のスペクトル成分が抑圧可能である。従ってチャージポンプは次のように設計される。すなわち配電電流の高調波を、前述したような規格が維持できる位に僅かにできる。
【０００９】
本発明による有利な実施形態は、当該の回路装置がさらに第２の整流器、特にマッチングネットワークと少なくとも１つのＬＥＤ用の配電網端子の間に結合されているフルブリッジ型整流器を含んでいる点で優れている。この手段により、マッチングネットワークから提供される少なくとも１つのＬＥＤの全エネルギーが１つの形態に、すなわち電流方向を備えた形態に整えられる。その中でこのエネルギーはＬＥＤによって光に変換される。
【００１０】
有利には前記回路装置がさらに少なくとも１つの結合コンデンサを有し、前記マッチングネットワークはＬＣ直列共振器を含み、前記第２の整流器の整流器入力側がＬＣ直列共振回路の高位点と結合され、別の側は少なくとも１つの結合コンデンサに結合されている。ＬＣ直列共振回路のインダクタンスに対して直列な少なくとも１つの結合コンデンサは、このインダクタンスによって直流電流を回避させ、それに伴ってそれらの電磁的飽和を回避させ、電流制限要素として有効である。インバータに印加される電圧に関する第２の整流器の入力側における電圧変動は、配電網電流の高調波の補正品質を定める。
【００１１】
有利には、前記マッチングネットワークと少なくとも１つのＬＥＤのための配電網端子の間に変成器が結合されている。これにより簡単な形式で当該回路装置と少なくとも１つのＬＥＤの間の電位分離が実現される。
【００１２】
その場合有利には、前記変成器の一次側がマッチングネットワークと結合され、前記変成器の二次側が少なくとも１つのＬＥＤのための配電網端子と結合され、前記変成器の二次側と、少なくとも１つのＬＥＤのための配電網端子との間に、第２の整流器、特にフルブリッジ型整流器が結合されている。
【００１３】
第２の整流器の利用において有利には、前記第２の整流器の整流器出力側と、少なくとも１つのＬＥＤのための配電網端子との間に、インダクタンスが設けられている。この手段により少なくとも１つのＬＥＤのリプルを供給する電流が低減される。
【００１４】
本発明の別の有利な実施形態によれば、前記回路装置はさらにコントローラを含んでおり、該コントローラの制御出力側からは設定信号が提供可能であり、この場合制御出力側はインバータと次のように結合される、すなわち操作量信号がインバータ周波数に作用するように結合される。この場合有利には、前記制御入力側が、少なくとも１つのＬＥＤを流れる電流に比例する特性量の測定のための装置に結合されている。これにより特に有利な形式でＬＥＤ電流が負荷の考慮のもとで、すなわち使用されるＬＥＤの数、配電電圧、回路全体の構成部材許容偏差などの考慮のもとで所定の値に制御される。
【００１５】
本発明のさらなる別の有利な実施形態は従属請求項にも記載されている。
【００１６】
本発明による回路装置に関連して説明してきた有利な実施形態とそれらの利点は本発明による作動方法に対しても同じように当てはまる。
【００１７】
以下の明細書では本発明による回路装置の実施例を添付の図面に基づいて詳細に説明する。この場合、
図１は、少なくとも１つのＬＥＤの作動のための本発明による回路装置に対するブロック回路図であり、
図２は、少なくとも１つのＬＥＤの作動のための本発明による実施例を示した図、
図３は、図２による回路装置におけるＬＥＤを流れる電流ＩLEDとネットワークに受け入れられた電流ＩNetzの時間経過を表した図である。
【実施例】
【００１８】
図１には少なくとも１つのＬＥＤを作動するための本発明による回路装置のブロック回路図が示されている。接続端子Ｊは配電網からの配電電圧を当該回路装置に供給するためのものである。この配電電圧はまずブロックＦＲに給電される。一方ではこのブロックはノイズをフィルタリングするための公知の手段を含んでおり、そして他方ではこのブロックは、整流器を含んでいる。この整流器は配電電圧（通常は交流電圧であるが、場合によっては直流電圧でもあり得る）を整流している。この目的のために通常はブリッジ接続された全波整流器が用いられる。本願の回路装置において実現されるチャージポンプの機能に対して重要なのは本願回路装置から主電源へのエネルギー流を意味する何らかの電流通流を阻止する整流器の特性である。
【００１９】
整流された配電電圧は電子ポンプスイッチＵＮＩに供給される。この場合整流器ＦＲと電子ポンプスイッチＵＮＩの間の接続箇所にはポンプノードＮ１が生じる。最も簡単なケースでは、電子ポンプスイッチＵＮＩは、ポンプノードＮ１からポンプダイオードへ流れる電流通流のみを許可するポンプダイオードから形成される。しかしながらその他の任意の電子スイッチ、例えばポンプダイオードの機能を充足するＭＯＳＦＥＴなどを電子ポンプスイッチＵＮＩに用いてもよい。電子ポンプスイッチＵＮＩが通流させた電流は、メインエネルギー蓄積器ＳＴＯに給電される。このメインエネルギー蓄積器ＳＴＯは大抵は電解コンデンサとして形成される。しかしながらその他の形式のコンデンサが用いられてもよい。基本的にはコンデンサに対してはデュアル方式のエネルギー蓄積が可能である。このデュアル方式のケースではメインエネルギー蓄積器ＳＴＯはコイルで実現される。比較的少ないコストで済む点とその効率も良好であるためにコンデンサはメインエネルギー蓄積器ＳＴＯとしても有利である。
【００２０】
またチャージポンプの実施例として複数のいわゆるポンプブランチを備えたものも存在する。この場合には複数の電子ポンプスイッチＵＮＩが並列に接続される。それにより複数のポンプノードＮ１が生じる。これらのポンプノードの相互の減結合のために整流器とポンプノードの間にはそれぞれ１つのダイオードが接続される。
【００２１】
メインエネルギー蓄積器ＳＴＯはそのエネルギーをインバータＩＮＶに供給している。このインバータＩＮＶは、交流特性の電気量、大抵は交流電圧を、符号ＭＮとＰＮで表されているブロックに供給する。符号ＭＮはマッチングネットワークとしての回路ブロックの機能を表している。この機能に関しては当該ブロックＭＮ／ＰＮはさらなる整流器ＧＲとインダクタンスＬを介して少なくとも１つのＬＥＤと接続可能である。さらなる整流器ＧＲはここでは次のようなことを保証している。すなわち少なくとも１つのＬＥＤが電流を次のような方向でのみ受取ること、すなわちこの電流エネルギーがＬＥＤによって光に変換され得る方向でのみ受取ることを保証している。インダクタンスＬ（これは変成器ないし変圧器で実現されてもよい）は、少なくとも１つのＬＥＤを通流する電流ＩLEDのリプルの低減に用いられる。符号ＰＮはポンプネットワークとしての回路ブロックの機能を表している。この機能に関しては、当該ブロックＭＮ／ＰＮはポンプノードＮ１に接続されている。このブロックＭＮ／ＰＮとポンプノードＮ１の間の接続ラインは、図１の図面中ではその両端に矢印が描かれている。それによりエネルギーがポンプノードＮ１とブロックＭＮ／ＰＮの間で交互に流れる様子が描写されている。マッチングネットワークの機能とポンプネットワークの機能は、当該ブロックＭＮ／ＰＮにおいて統合されている。なぜなら本発明による回路装置の実施形態では、個々の構成要素に対して一方の機能も他方の機能も対応付けることが可能であるからである。
【００２２】
所望の作動量を制御するためにコントローラＣＯＮＴが設けられている。このコントローラＣＯＮＴは、操作量を介してインバータＩＮＶに作用している。それによりこのインバータＩＮＶから出力される交流の操作量のパラメータ、例えば作動周波数及び／又はパルス幅が次のように変更される。すなわち作動量の変化を打ち消すように変更される。この作動量は接続線路Ｂ１を介してコントローラＣＯＮＴの入力側に供給されている。この作動量とはここでは次のような特性量、すなわちＬＥＤの動作を定める特性量、例えばＬＥＤを流れる電流ＩLEDなどである。そのため図１では接続線路Ｂ１はＬＥＤのための回路ブロックに相応している。ＬＥＤを流れる電流ＩLEDの代わりに、例えばＬＥＤの中で変換される電力が作動量を形成してもよい。但しこの電気量はＬＥＤにおいて直接検出されるのではなく、ブロックＭＮ／ＰＮからも取り入れられる。
【００２３】
図２には、少なくとも１つのＬＥＤを作動するための本発明による回路装置の１つの実施例が示されている。
【００２４】
端子Ｊ１及びＪ２には配電電圧が印加可能である。２つのコンデンサＣ１，Ｃ２と２つのコイルＬ１，Ｌ２からなるフィルタを介して、配電電圧はフルブリッジ整流器に供給される。このフルブリッジ整流器はダイオードＤ１，Ｄ２，Ｄ３，Ｄ４から成っている。フルブリッジ整流器は、基準ノードＮ０に対して正の出力側であるノードＮ２１から、整流された配電電圧を提供する。このノードＮ２１は同時にポンプノードである。その際には次の点に注意しなければならない。すなわち整流器内で用いられているダイオードＤ１，Ｄ２，Ｄ３，Ｄ４がインバータ周波数に追従するためにも十分に迅速にスイッチングされ得るように注意しなければならない。このことが当てはまらない場合には、高速のダイオードを整流器出力側とポンプノードの間に接続させてもよい。
【００２５】
ポンプノードＮ２１からは電子ポンプスイッチ（これはダイオードＤ５で実施されている）がノードＮ２２に接続している。このノードＮ２２とＮ０の間にはメインエネルギー蓄積器が接続されている。このメインエネルギー蓄積器はここでは電解コンデンサＣ６で実施されている。このコンデンサＣ６はインバータに給電している。このインバータはここではハーフブリッジで形成されているが、しかしながらその他のコンバータトポロジー、例えばフライバックコンバータやフルブリッジなどが使用されてもよい。
【００２６】
図２の実施例中において示されているハーフブリッジは、２つのハーフブリッジトランジスタＴ１，Ｔ２からなる直列回路と、２つの結合コンデンサＣ１５，Ｃ１６からなる直列回路を含んでいる。これらの２つの直列回路はコンデンサＣ６に対して並列に接続されている。ハーフブリッジトランジスタの接続ノードＮ２３と結合コンデンサＣ１５，Ｃ１６の接続ノードＮ２４は、インバータを構成しており、このインバータにはインバータ周波数を伴った台形波状のインバータ電圧が印加される。ノードＮ２３とノードＮ２５の間にはインダクタンスＬ３が接続されている。コンデンサＣ８は台形コンデンサとして作用する。コンデンサＣ７を介して集積回路ＩＣ１の給電のためのエネルギーが分岐される。これについては以下でさらに詳細に説明する。インバータの作動中にノードＮ２３には台形波状の電圧が印加されるので、この期間中はコンデンサＣ７を流れる電流通流が存在する。この場合正の半波はダイオードＤ１７を介して集積回路ＩＣ１の電流供給のために用いられ、それに対して負の半波はダイオードＤ１８を介して基準電位Ｎ０に導かれる。ノードＮ２５は、第１の共振コンデンサＣ９を介してポンプノードＮ２１に接続されている。ノードＮ２１とＮ０の間には、第２の共振コンデンサＣ５が接続されている。コンデンサＣ９とＣ５は、インダクタＬ３と共に共振回路を形成している。このインダクタンスＬ３は、コンデンサＣ９，Ｃ５と協働してマッチングネットワークとして作用しており、このマッチングネットワークはインバータの出力インピーダンスを、少なくとも１つのＬＥＤの作動に必要なインピーダンスに変換している。しかしながらコンデンサＣ９，Ｃ５とポンプノードＮ２１の接続によってＬ３，Ｃ９，Ｃ５の組合わせは共振回路及びマッチングネットワークとしてのみ作用するのではなく、同時にポンプネットワークとしても作用している。ノードＮ２１における電位が目下の配電電圧よりも低いならば、ポンプネットワークＬ３，Ｃ９，Ｃ５はヘイデン電圧からエネルギーを導出する。ノードＮ２１における電位がメインエネルギー蓄積器Ｃ６における電圧を上回ったならば、配電電圧からピックアップしたエネルギーはＣ６に送出される。コンデンサＣ９とＣ５のキャパシタンス値の比の選択によって、ネットワークＬ３，Ｃ９，Ｃ５の作用はポンプネットワークとして補償調整される。コンデンサＣ５のキャパシタンス値が大きければ大きいほど、ポンプネットワークとしてのネットワークＬ３，Ｃ９，Ｃ５の作用は小さくなる。さらなるポンプ作用は、コンデンサＣ８から出発し、このコンデンサＣ８はノードＮ２３とＮ２１の間に接続されている。コンデンサＣ８もポンプネットワークとしてのみ作用するのではなく、前述したように台形コンデンサとしての目的も充足する。この台形コンデンサは一般的にはインバータにおけるスイッチ負荷開放のための手段として公知である。
【００２７】
マッチングネットワークには第２のフルブリッジ整流器が後続している。この整流器はダイオードＤ７，Ｄ８，Ｄ９，Ｄ１０から形成されている。これはＬＥＤが電流を一方向でのみ供給されて受取ることを保証している。整流器出力側と端子Ｊ３，Ｊ４の間には、少なくとも１つのＬＥＤのためにコンデンサ電流インダクタＬ２が配設されている。このインダクタＬ２は少なくとも１つのＬＥＤに供給される電流ＩLEDのリプル低減のために用いられる。本発明による回路装置と少なくとも１つのＬＥＤの間の所望の電位分離が目的のケースでは、コンデンサ電流インダクタＬ２は変成器によって実現されてもよい。その場合には第２の整流器Ｄ７からＤ１０が当該変成器の二次側に配置される。
【００２８】
１つのポンプブランチを有する図示の実施例の他に、２以上のポンプブランチを有する変化実施例も考えられる。その場合にはポンピングされたエネルギーが複数の構成部分に分割される。それにより構成要素のコスト的に有利な設計が可能となる。またその他にも少なくとも１つのＬＥＤの作動パラメータへのポンピングされたエネルギーの依存性の選定において自由度が得られる。
【００２９】
ハーフブリッジトランジスタＴ１，Ｔ２はＭＯＳＦＥＴとして構成される。それに対してはその他の電子スイッチも用いることが可能である。トランジスタＴ１，Ｔ２のゲートの抵抗Ｒ５及びＲ６を介した駆動制御に対しては本発明の実施例では集積回路ＩＣ１が設けられている。この集積回路ＩＣ１は当該実施例においてはインターナショナルレクチファイヤ社のタイプＩＲ２１５３である。このタイプに対する代替的な回路としては例えば市販されているＳＴＭ社のＬ６７５１なども考えられる。前記回路ＩＲ２１５３は、いわゆるハイサイドドライバを含んでおり、このドライバを用いればハーフブリッジトランジスタＴ１の駆動が基準電位Ｎ０への端子を有していなくてもできるようになる。それに対してはダイオードＤ６とコンデンサＣ４が必要となる。集積回路ＩＣ１の作動電圧の供給は、回路ＩＣ１の端子１を介して行われる。図２中では、このために端子１がノードＮ２６に接続されており、このノードＮ２６は抵抗Ｒ１８を介してノードＮ２２に結合されている。ノードＮ２６の電圧は、ツェナーダイオードＤ１２によって所定の値に維持され、コンデンサＣ１８を介してＩＣ１に提供される。代替的に回路ブロックＩＣ１は例えば１つの抵抗を介して整流された配電電圧を供給されてもよい。
【００３０】
ハーフブリッジトランジスタＴ１，Ｔ２のためのドライバ回路の他に、集積回路ＩＣ１は発振器を含んでいる。この発振器の振動周波数は端子２及び３を介して設定可能である。発振器の振動周波数はインバータ周波数に相応している。端子２と３の間には、周波数を定める抵抗Ｒ１２が接続されている。端子３とノードＮ０の間には周波数を定めるコンデンサＣ１２とバイポーラトランジスタＴ３のエミッタ−コレクタ区間からなる直列回路が接続されている。このバイポーラトランジスタＴ３のエミッタ−コレクタ区間に対してはダイオードＤ１３が並列に接続されており、それによってコンデンサＣ１２が充放電され得る。前記バイポーラトランジスタＴ３のベース端子とノードＮ０の間の電圧によって、インバータ周波数が設定され、それによって制御ループに対する操作量が形成される。バイポーラトランジスタＴ３のベース端子は操作量ノードＮ２４と接続されている。これにより前記バイポーラトランジスタＴ３、集積回路ＩＣ１及びそれらの回路接続構成はコントローラとして解釈できる。
【００３１】
集積回路ＩＣ１の機能及びその回路構成は、任意に電圧制御若しくは電流制御できる発振器によって実現されてもよい。この発振器はドライバ回路を介してハーフブリッジトランジスタの駆動制御を実行する。
【００３２】
当該実施例における制御ループは、ＬＥＤを流れる電流ＩLEDを制御量として検出する。それに対しては電流ＩLEDに比例する特性量がコンデンサＣ１７とダイオードＤ１４，Ｄ１５を介して低抵抗な測定抵抗Ｒ７に供給される。それ故にこの測定抵抗Ｒ７における電圧降下は少なくとも１つのＬＥＤを流れる電流に対する尺度となる。抵抗Ｒ８とコンデンサＣ１９によって形成される、平均値形成のためのローパスフィルタを介して前記電圧降下は測定増幅器の非反転入力側に到達する。この測定増幅器は周知の形式で演算増幅器ＡＭＰと抵抗Ｒ９，Ｒ１０，Ｒ１１によって実現される。当該実施例ではこの測定増幅器の利得は約１０に設定されている。抵抗Ｒ７における電圧降下が直接、操作量として利用できる値を有しているケースにおいては、この測定増幅器は省略可能であり、あるいは例えばエミッタフォロアーのようなインピーダンス変換器に置換えることも可能である。
【００３３】
測定増幅器の出力側はノードＮ２７に接続されている。それにより、ＬＥＤを流れる電流を制御するための制御ループが閉成される。発振器周波数の引き上げることによって、誘導負荷回路により少なくとも１つのＬＥＤを流れる電流ＩLEDの低減が得られる。
【００３４】
図３には、図２による回路装置における少なくとも１つのＬＥＤを流れる電流ＩLEDの経過と配電網電流ＩNetzの時間経過が概略的に示されている。図３においてさらに識別可能な、少なくとも１つのＬＥＤを流れる電流ＩLEDの変調は（ここでは１００Ｈｚの変調、これは高周波信号に重畳されている）、前述してきた制御の最適かによってさらに低減可能である。それに対して高周波リプルは低電流インダクタＬ２の拡大によって低減可能である。
【図面の簡単な説明】
【００３５】
【図１】少なくとも１つのＬＥＤの作動のための本発明による回路装置に対するブロック回路図
【図２】少なくとも１つのＬＥＤの作動のための本発明による実施例を示した図
【図３】図２による回路装置におけるＬＥＤを流れる電流ＩLEDとネットワークに受け入れられた電流ＩNetzの時間経過を表した図
【図１】
2009518835.tif 000003
【図２】
2009518835.tif 000004
【図３】
2009518835.tif 000005
【国際調査報告】
2009518835.tif 000006
2009518835.tif 000007
2009518835.tif 000008
2009518835.tif 000009
2009518835.tif 000010
2009518835.tif 000011